(57)【要約】【課題】  抽斗の有効幅を狭めなくても耐震ロック装置を外箱体の内部に組み込めるようにして、抽斗の収納容積を阻害することなく耐震ロック機能を発揮させることができる抽斗装置を得る。【解決手段】  本発明は、抽斗装置２の外箱体５を構成する木製の側板７の内面に取り付け可能なケーシング２３と、このケーシング２３から横向きに出退自在となるように同ケーシング２３に収納されたロック部材２５と、抽斗装置２の外箱体５に前後方向に移動自在に収納された抽斗６の側面に取り付け可能なブラケット２２とを備えており、地震等の揺れでロック状態となったロック部材２５の突出端部がブラケット２２に引っ掛かることで抽斗６を自動的にロックするようにした抽斗用耐震ロック装置１である。そして、上記ケーシング２３は、木製の側板７の厚さよりも薄肉の埋設部分３１を備えており、この埋設部分３１は、木製の側板７の内面をルータービットで穿孔することによって形成された埋設孔３３とほぼ同じ断面形状に形成されている。【選択図】      図１
2006346412.tif 000002
【特許請求の範囲】
【請求項１】
抽斗装置の外箱体を構成する木製の側板の内面に取り付け可能なケーシングと、このケーシングから横向きに出退自在となるように同ケーシングに収納されたロック部材と、前記抽斗装置の外箱体に前後方向に移動自在に収納された抽斗の側面に取り付け可能なブラケットとを備えており、地震等の揺れでロック状態となった前記ロック部材の突出端部が前記ブラケットに引っ掛かることで前記抽斗を自動的にロックするようにした抽斗用耐震ロック装置であって、
前記ケーシングは、前記木製の側板の厚さよりも薄肉の埋設部分を備えており、この埋設部分は、前記木製の側板の内面をルータービットで穿孔することによって形成された埋設孔とほぼ同じ断面形状に形成されていることを特徴とする抽斗用耐震ロック装置。
【請求項２】
前記ケーシングは、前記埋設部分を前記埋設孔に嵌め込んだときに、その埋設孔の径外側にはみ出る取付フランジ部を備えている請求項１に記載の抽斗用耐震ロック装置。
【請求項３】
前記取付フランジ部は、前記抽斗の側面方向から見て前記埋設部分に対して非対称状となるように偏心している請求項２に記載の抽斗用耐震ロック装置。
【請求項４】
前記埋設孔は、同じルータービットで一部が重なるように穿孔された同じ外径の複数の円形孔よりなり、前記埋設部分は、この複数の円形孔よりなる前記埋設孔とほぼ同じ断面形状に形成されている請求項１〜３のいずれかに記載の抽斗用耐震ロック装置。
【請求項５】
左右一対の木製の側板を有する前方が開口された外箱体と、この外箱体の内部に前後方向に移動自在となるように収納された抽斗とを備えている抽斗装置において、
請求項１〜４のいずれかに記載の抽斗用耐震ロック装置のケーシングが前記木製の側板の内面に埋設された状態で取り付けられ、同耐震ロック装置のブラケットが前記抽斗の側面に取り付けられていることを特徴とする耐震ロック機能を有する抽斗装置。
【発明の詳細な説明】
【技術分野】
【０００１】  本発明は、地震時等に発生した揺れに対して抽斗が飛び出さないようにするための抽斗用耐震ロック装置とこれを有する抽斗装置に関する。
【背景技術】
【０００２】  従来より、システムキッチンのキャビネットに組み込まれる抽斗装置は、前方が開口された木製の外箱体の内部に、単数又は複数の抽斗を前後方向に移動自在に収納することによって構成されていて、その外箱体は、左右一対の側板と、この側板の上端間に架設された天板とを備えている。
上記外箱体を構成する両側板の内面には、前後方向に沿って架設された左右一対のガイドレールが取り付けられ、各抽斗の左右両側には、各ガイドレールの断面内に前後方向に移動自在となるように嵌め込まれたサイドフレームが取り付けられている（例えば、特許文献１参照）。【０００３】  一方、システムキッチンの吊り戸棚に使用される開き戸装置においては、揺れによりケーシングから突出するロック部材を有するロック装置本体をボックス本体の天板内面に固定し、かつ、そのロック部材が係脱自在に引っ掛かるブラケットを開き戸の内面に固定してなる耐震ロック装置が既に開発されている（例えば、特許文献２参照）。【０００４】
【特許文献１】  特開２００４−１８８１１０号公報
【特許文献２】  特許第３１０５４６０号公報
【発明の開示】
【発明が解決しようとする課題】
【０００５】  上記の通り、食器棚や天袋等に使用される開き戸装置の技術分野においては、揺れによりケーシングから突出するロック部材を有するロック装置本体をボックス本体の天板内面に固定し、かつ、そのロック部材が係脱自在に引っ掛かるブラケットを開き戸の内面に固定してなる耐震ロック装置が既に開発されている。従って、かかる耐震ロック装置のロック装置本体を前記外箱体の側板の内面に取り付け、かつ、同装置のブラケットを抽斗の側面に取り付けるようにすれば、一応、耐震ロック機能を有する抽斗措置が得ることができる。【０００６】  しかし、上記開き戸装置に採用されている従来の耐震ロック装置はボックス本体内の上部に設けられるものであるため、ロック装置本体のケーシングの幅寸法がかなり大きくなっている。
このため、かかる従来の耐震ロック装置を抽斗装置の外箱体の側板と抽斗との間に組み込むようにすると、外箱体の側板と抽斗との間の間隔を耐震ロック装置のケーシング及びブラケットを収納できる程度に広く開ける必要があり、そのために抽斗の有効幅が狭まってその収納容積が必要以上に阻害されてしまう恐れがある。【０００７】  そこで、本発明の課題は、抽斗の有効幅を狭めなくても耐震ロック装置を外箱体の内部に組み込めるようにして、抽斗の収納容積を阻害することなく耐震ロック機能を発揮させることができる抽斗装置を得られるようにする点にある。
【課題を解決するための手段】
【０００８】  上記課題を解決するため、本発明は次の技術的手段を採用した。
すなわち、本発明は、抽斗装置の外箱体を構成する木製の側板の内面に取り付け可能なケーシングと、このケーシングから横向きに出退自在となるように同ケーシングに収納されたロック部材と、前記抽斗装置の外箱体に前後方向に移動自在に収納された抽斗の側面に取り付け可能なブラケットとを備えており、地震等の揺れでロック状態となった前記ロック部材の突出端部が前記ブラケットに引っ掛かることで前記抽斗を自動的にロックするようにした抽斗用耐震ロック装置であって、
前記ケーシングは、前記木製の側板の厚さよりも薄肉の埋設部分を備えており、この埋設部分は、前記木製の側板の内面をルータービットで穿孔することによって形成された埋設孔とほぼ同じ断面形状に形成されていることを特徴とするものである。【０００９】  上記の本発明によれば、ケーシングの埋設部分が木製の側板の内面に形成された埋設孔とほぼ同じ断面形状に形成されているので、その埋設部分を当該側板の埋設孔に嵌め込んでケーシングを側板の内面に取り付けることにより、抽斗の有効幅を狭めなくても耐震ロック装置を外箱体の内部に組み込むことができる。
また、本発明では、ケーシングの取付空間となる側板の埋設孔をルータービットで穿孔するようにしたので、埋設孔の加工をより簡便に行えるという利点もある。【００１０】  上記の本発明において、前記ケーシングは、前記埋設部分を前記埋設孔に嵌め込んだときにその埋設孔からはみ出る取付フランジ部を備えたものとすることが好ましい。この場合、取付フランジ部をネジ止めや接着剤等の固定手段で側板の内面に固定することができ、これにより、ケーシングの側板に対する固定作業をより確実に行うことができる。
また、上記取付フランジ部を設ける場合においては、その取付フランジ部が、前記抽斗の側面方向から見て前記埋設部分に対して非対称状となるように偏心していることが好ましい。この場合、取付フランジ部の埋設部分からの張り出し状態により、ケーシングの取付方向を判断できるようになる。このため、埋設孔にケーシングの埋設部分を嵌め込む際に、取付フランジ部によってケーシングの取付方向が正しいかどうかを確認することができ、ケーシングを上下反転して取り付けてしまう取付ミスを未然に防止できる。【００１１】  前記埋設孔は、単一の円形孔や長円等、ルータービットで穿孔可能であれば、その断面形状は特に限定されない。しかし、ルータービットで長円を穿孔するには、そのビットで側板を削りながら一定距離だけ移動させるという熟練した作業が必要となる。
そこで、前後方向に長い円形以外の埋設部分を有するケーシングを採用する場合には、同じルータービットで一部が重なるように穿孔された同じ外径の複数の円形孔よりなる埋設孔を採用し、前記ケーシングの埋設部分を、この複数の円形孔よりなる前記埋設孔とほぼ同じ断面形状に形成することが好ましい。【００１２】  この場合、側板の埋設孔が、同じルータービットで一部が重なるように穿孔された同じ外径の複数の円形孔よりなるので、同じ深さの複数の円形孔を順番に穿孔して行くという比較的容易な作業で埋設孔を形成することができ、長円の埋設孔を穿孔する場合に比べて加工手間をより低減することができる。
【発明の効果】
【００１３】  本発明によれば、抽斗の有効幅を狭めなくてもその耐震ロック装置を抽斗装置の外箱体の内部に組み込むことができるので、抽斗の収納容積を阻害することなく耐震ロック機能を有する抽斗装置を得ることができる。
【発明を実施するための最良の形態】
【００１４】  以下、図面に基づいて、本発明の実施の形態を説明する。
図１〜図４は本発明の実施形態を示している。
図４は、本発明に係る耐震ロック装置１を採用した抽斗装置２を示しており、この抽斗装置２は、図示しないシステムキッチンのキャビネットに組み込まれて使用するものである。なお、この抽斗装置２は、キャビネットに固定しないで抜き差し自在なキャスター式として構成することもできる。【００１５】  本実施形態の抽斗装置２は、前方が開口された木製の外箱体５の内部に、複数の抽斗６（図例では３段）を前後方向に移動自在に収納することによって構成されている。このうち、外箱体５は、左右一対の木製の側板７と、この側板７の上端同士を互いに連結する天板８と、その側板７の下端同士を互いに連結する底板９とを備えている。
図２及び図３に示すように、外箱体５の内部には、前後方向に延びる左右一対のガイドレール１０が設けられている。このガイドレール１０は、木製の側板７の内面に固定された取付板部１１と、この取付板部１１の下端から内側に向かって突出するレール部１２とを一体に備えている。【００１６】  他方、抽斗６は、木製の底プレート１３と、この底プレート１３の前端面に固定された把手付きの前プレート１５と、その底プレート１３の左右両端部に固定された金属製のサイドプレート１６とを備えている。図３に示すように、抽斗６のサイドプレート１６は、薄い金属板を屈曲させた二重構造になっており、断面Ｌ型の取付金具１７を介して底プレート１３の端縁部に取り付けられている。
上記取付金具１７の下面には、下方開口状の断面形状に形成されたサイドフレーム１８が取り付けられている。そして、このサイドフレーム１８を前記ガイドレール１０のレール部１２にスライドシュー１９を介して連結することにより、前記抽斗６が外箱体５の前方開口部から前後方向（図１の上下方向）に出し入れ自在となるように、当該外箱体５の内部に収容されている。【００１７】  本実施形態の耐震ロック装置１は、地震等の際に外箱体５に発生した揺れによって抽斗６が前方へ飛び出すのを自動的に阻止するものである。
図１〜図３に示すように、この耐震ロック装置１は、外箱体５側に設けられたロック装置本体２１と、抽斗６側に設けられたブラケット２２とから構成されている。このうち、ロック装置本体２１は、プラスチック製のケーシング２３と、このケーシング２３内に横向きに出退自在に挿通されたロック部材２５と、このロック部材２５を抽斗６側へ付勢する第一コイルバネ２６と、ロック部材２５をケーシング２３内に保持しておくための保持部材２７と、この保持部材２７を常にロック部材２５側に付勢する第二コイルバネ２８と、地震等に伴う揺れを検知して保持部材２７をロック部材２５から解除するオートロック手段２９とを備えている。【００１８】  本実施形態では、上記ケーシング２３は、前後方向に長くかつ抽斗６の幅方向に扁平な中空部材よりなり、木製の側板７の厚さよりも薄肉の埋設部分３１と、この埋設部分３１から一体に突設された取付フランジ部３２とを備えている。これに対して、ケーシング２３が取り付けられる木製の側板７の内面には、図示しないルータビットで穿孔することによって形成された埋設孔３３が形成されている。
図２に示すように、この埋設孔３３は、同じルータビットで一部が重なるように穿孔された、抽斗６の前後方向（図２の左右方向）に並ぶ同じ外径の二つの円形孔よりなり、横向きのほぼ８の字状に形成されている。ケーシング２３の埋設部分３１は、この埋設孔３１にちょうど嵌り込むように、当該埋設孔３３とほぼ同じ８の字状の断面形状に形成されている。【００１９】  ケーシング２３の取付フランジ部３２は、上記埋設部分３１の抽斗６側に一体に設けられており、当該埋設部分３１を側板７の埋設孔３３に嵌め込んだときに、その埋設孔３３から径外側にはみ出るようになっている。図２に示すように、この取付フランジ部３２は、埋設部分３１よりも前後両側に突出した横長のほぼ長方形状に形成されており、その前後の突出端部が止めネジ３５によるネジ止め部になっている。
このため、本実施形態のケーシング２３（ロック装置本体２１）は、その埋設部分３１を外箱体５の側板７の埋設孔３３に嵌め込んで取付フランジ部３２を側板７の内面に当接させ、この状態で取付フランジ部３２のネジ孔に挿通した止めネジ３５を側板７に螺合させることにより、当該側板７に埋没した状態で取り付けられている。【００２０】  また、図２に示すように、本実施形態のケーシング２３では、取付フランジ部３２の前後方向の中心線３６が埋設部分３１の同方向の中心線３７に対して芯ずれした状態となっており、これにより、抽斗６の側面方向から見て埋設部分３１に対して非対称状となるように、取付フランジ部３２を偏心させている。
従って、例えば図２の場合で言うと、取付フランジ部３２の張り出し縁部３２ａが上側にあることにより、ケーシング２３の取付方向が正常であることを判断することができる。このため、埋設孔３３にケーシング２３の埋設部分３１を嵌め込む際に、取付フランジ部３２によってケーシング２３の正しい取付方向を確認することができ、ケーシング２３を上下反転して取り付けてしまう取付ミスを未然に防止することができる。【００２１】  図１に示すように、ケーシング２３の前端部には側方に開口した有底筒状のガイド筒部が形成されていて、このガイド筒部内に前記ロック部材２５が横向きに直線的に出退するように挿通されている。このロック部材２５は、その没入側端から中央部に延びるバネ収納穴を備えており、この収納穴に収納した常時圧縮の前記第一コイルバネ２６とともにガイド筒部に挿通されている。このため、ロック部材２５は第一コイルバネ２６によって常時側方へ付勢されている。
なお、図示していないが、ロック部材２５の没入側端部の四隅には、当該ロック部材２５が側方へ抜け出すのを規制するストッパーが突設されている。【００２２】  このため、ロック部材２１がケーシング２３のガイド筒部の内部に納まっているとき（図１の状態）は、後述するブラケット２２のフック部４１から外れており、抽斗６の前方移動が許容されるアンロック位置となる。
他方、ロック部材２１が横向きに突出したときは、ロック部材２５の突出端部が抽斗６側に突出してブラケット２２のフック部４１に引っ掛かり、当該抽斗６の前方移動が阻止されるロック位置となる。【００２３】  前記保持部材２７は金属製のスライド板よりなり、ケーシング２３内の底面に前後方向に移動可能に収納されている。この板状の保持部材２７は、ロック部材２５の側面に引っ掛かる掛止片３８を前端部に備えており、前記第二コイルバネ２８が当該保持部材２７の後端部に連結されている。また、保持部材２７の中央部は上方に大きく開いた凹部になっている。
保持部材２７の後端部に連結された第二コイルバネ２８は、ケーシング２３の後端壁部に当接して保持部材２７を常時前方へ付勢している。そして、このコイルバネ２８の付勢力によって保持部材２７の掛止片３８がロック部材２５の側面に強制的に引っ掛かり、これによってロック部材２５がアンロック位置に保持されている。【００２４】  本実施形態のオートロック手段２９はボール状の金属製の転動部材からなり、前記保持部材２７の凹部内に嵌り込んだ状態で、その保持部材２７とともにケーシング２３の内部に前後方向に転動自在に設けられている。このため、転動部材２９が外箱体５の揺れに伴って後方へ移動すると、転動部材２９が保持部材２７の後端部に衝突し、保持部材２７の掛止片３８がロック部材２５から解除される。
ケーシング２３の内部には、上記転動部材２９が前方に移動しても保持部材２７をロック部材２５から解除させるためのキックプレート３９が収納されている。このキックプレート３９は、転動部材２５の前方に位置してこれと一緒に保持部材２７の凹部内に収められており、同プレート３９の左右両端縁はケーシング２３の内壁面に揺動自在に支持されている。【００２５】  また、このキックプレート３９の下端縁は保持部材２７の凹部の底側に係合している。このため、転動部材２９の揺れに伴って前方へ移動してキックプレート３９に衝突すると、同プレート３９の上端部が前方に揺動するのに伴って同プレート３９の下端縁が梃子の作用で逆に後方に揺動し、これによって保持部材２７が後方に移動し、その掛止片３８がロック部材２５から解除されるようになっている。
図１に示すように、前記ブラケット２２は平面視ほぼＬ字状の金具よりなり、ロック部材２５の突出端部が引っ掛かるフック部４１を後端部に有している。【００２６】  このブラケット２２の前端側（図１の下側）にはロック解除部材４２が設けられている。この解除部材４２は、ロック部材２５の突出端部に当接して当該ロック部材２５をケーシング２３内に没入したアンロック位置に押し戻すためのもので、丸みを帯びて湾曲しかつ弾性変形自在な先端部分を有する板バネにより構成されている。また、ロック部材２５の突出端部には、その板バネよりなるロック解除部材４２の先端部分が当接する傾斜カム面４３が形成されている。
このため、ロック部材２５がいったんロック位置になっても、抽斗６の閉鎖方向への移動に伴ってロック解除部材４２が傾斜カム面４３にカム係合し、当該解除部材４２のカム作用でロック部材２５が没入側（アンロック位置）へ押し戻されるようになっている。【００２７】  次に、上記耐震ロック装置１を有する抽斗装置２の作用を説明する。
まず、本実施形態の耐震ロック装置１では、図１に示すように、抽斗６が閉鎖されている場合には、ロック解除部材４２の先端カム部がロック部材２５の出没位置と一致するようになっている。これにより、ロック部材２５はロック解除部材２５のカム作用によってケーシング２３の内部に強制的に没入されている。
このさい、保持部材２７の掛止片３８がロック部材２５の側面に引っ掛かって、ロック部材２５をアンロック位置に保持するため、外箱体５に揺れが生じていない通常時においては、抽斗６を自由に出し入れすることができる。【００２８】  一方、地震等のために外箱体５に大きな揺れが生じると、抽斗６が前方へ大きく移動しようとするが、その抽斗６の移動に先だって、転動部材２９が保持部材２７の後端部に衝突するか又はキックプレート３９に衝突し、保持部材２７の掛止片３８がロック部材２５から外れる。このため、抽斗６が大きく飛び出す前にロック部材２５が抽斗６側へ横向きに突出してロック位置になり、その突出端部がブラケット２２のフック部４１に引っ掛かって、抽斗６が不意に前方へ飛び出すのが未然に防止される。
そして、地震が継続している場合には、かかるロック部材２５の突出とロック解除部材４２によるロック部材２５の没入が繰り返され、抽斗６が外箱体５に対してばたついた状態でロックが維持されることになる。【００２９】  本実施形態の耐震ロック装置１によれば、ケーシング２３の埋設部分３１を木製の側板７の内面に形成された埋設孔３３とほぼ同じ断面形状に形成することで、その埋設部分３１を当該埋設孔３３に埋め込んだ状態でケーシング２３を側板７の内側に取り付けるようにしたので、抽斗６の有効幅を狭めなくても耐震ロック装置１を外箱体５の内部に組み込むことができる。このため、抽斗６の収納容積を阻害することなく、耐震ロック機能を有する抽斗装置２を得ることができる。【００３０】  また、ケーシング２３の取付空間となる側板７の埋設孔３３をルータービットで穿孔するようにしたので、埋設孔３３の加工をより簡便に行えるとともに、埋設部分３１から径外側に張り出す取付フランジ部３２を側板７の内面にネジ止めするようにしたので、ケーシング２３の側板７に対する固定作業をより確実に行うことができる。
更に、同じルータービットで穿孔された同じ外径の二つの円形孔よりなる埋設孔３３を採用したので、同じ深さの二つの円形孔を順番に穿孔して行くという比較的容易な作業で埋設孔３３を形成することができ、長円の埋設孔を穿孔する場合に比べて加工手間をより低減できるという利点もある。【００３１】  なお、本発明は上記実施形態に限定されるものではない。
例えば、上記実施形態において、取付フランジ部３２を省略して埋設部分３１のみからなるケーシング２３とすることもできる。また、側板７の埋設孔３３は、単一の円形孔や三つ以上の円形孔から構成することもできる。
更に、上記実施形態では、システムキッチンのキャビネットに使用する抽斗装置２に本発明を採用しているが、本発明は、木製の側板７を有する抽斗装置であれば、それ以外の種々の抽斗装置に採用することができる。【００３２】  また、本発明の耐震ロック装置１は、抽斗装置２のいずれか一方の側板７のみに設けてもよいし、左右の側板７の双方に設けることもできる。更に、耐震ロック装置１の内部構造は図示のものに限られず、要は、振動を検出してロック部材２５をブラケット２２にロックさせる機能と、振動が収まった時にロック部材２５がブラケット２２から解除する機能を有するものであればよい。
また、上記実施形態において、埋設孔３３を構成する二つの円形孔を異なる外径のものとし、ケーシング２３の埋設部分３１をその埋設孔３３と同じ断面形状に形成するようにしてもよい。この場合、作業者が取付方向を間違えると埋設部分３１を埋設孔３３に嵌め込むことができなくなるので、ケーシング２３の取付ミスをより確実に防止することができる。
【図面の簡単な説明】
【００３３】
【図１】  本発明の耐震ロック装置の取付状態を示す平面断面図である。
【図２】  同耐震ロック装置のロック装置本体を図１の右側から見た側面図である。
【図３】  同耐震ロック装置の取付状態を示す正面断面図である。
【図４】  同耐震ロック装置を用いた抽斗装置の斜視図である。
【符号の説明】
【００３４】  １      耐震ロック装置
２      抽斗装置
５      外箱体
６      抽斗
７      側板
２２      ブラケット
２３      ケーシング
２５      ロック部材
３１      埋設部分
３２      取付フランジ部
３３      埋設孔
【図１】
2006346412.tif 000003
【図２】
2006346412.tif 000004
【図３】
2006346412.tif 000005
【図４】
2006346412.tif 000006